(57)【特許請求の範囲】
【請求項１】
受配電設備に使用される密閉形配電盤であって、
密閉容器内に少なくとも遮断器及び断路器を含む開閉機器が設置され、
前記密閉容器内に当該密閉容器の開放時に充電部から保護する保護板が配設され、
該保護板は、前記遮断器を設置した設置空間と前記断路器を設置した設置空間との境界位置に配設され、接続導体を挿通する挿通孔が形成されている
ことを特徴とする密閉形配電盤。
【請求項２】
前記密閉容器は、中段の配置空間に前記断路器及び母線が配置され、中段の配置空間を挟む上段の配置空間及び下段の配置空間にそれぞれ遮断器が配置され、前記中段の配置空間と前記上段の配置空間及び前記下段の配置空間との間に個別に前記保護板が配置されていることを特徴とする請求項１に記載の密閉型配電盤。
【請求項３】
前記密閉容器は、四隅の１箇所以上のコーナー部にＵ字形状及びＶ字形状の少なくとも一方でなる補強凹部を形成したことを特徴とする請求項１又は２に記載の密閉形配電盤。
【請求項４】
前記密閉容器内に、湿度及び露点の少なくとも一方を検出する密閉状態検出手段を配設し、該密閉状態検出手段で検出した検出値が予め設定した閾値以上であるときに密閉異常であると判断する密閉異常判定手段を備えたことを特徴とする請求項１乃至３の何れか１項に記載の密閉形配電盤。
【発明の詳細な説明】
【技術分野】
【０００１】
本発明は、受配電設備に使用する回路遮断器、断路器等の開閉機器を密閉容器内に収納した密閉形配電盤に関する。
【背景技術】
【０００２】
高圧や特別高圧の受配電設備に使用する密閉形配電盤である密閉形スイッチギヤでは、充電部の露出防止や絶縁、耐環境（腐食性ガスなどの悪環境からの保護など）のために、主回路機器や充電部を密閉容器内に収納している。
この種の密閉形配電盤として、例えば盤内に乾燥空気などの絶縁ガスを封入した上中下の３つの密閉容器を設け、これら密閉容器のうち中央部の断路器などを配置した密閉容器を上下の遮断器を配置した密封容器で挟む構造とされ、各密閉容器の内部に乾燥吸着剤を配置して絶縁ガスを絶縁度の高い乾燥状態に維持するようにした高圧閉鎖配電盤が提案されている（例えば、特許文献１参照）。
【０００３】
さらに、密閉された筐体の内部及び外部にそれぞれ配設された温度センサ及び湿度センサと、これら温度センサ及び湿度センサの出力信号を用いて上記筐体内部及び筐体外部の絶対湿度に対応する量をそれぞれ求め、これら２つの絶対湿度に対応する量の比較結果により警報信号を出力する検出回路と、この検出回路の出力により作動する警報手段とを備えるように構成した筐体の気密監視装置が提案されている（例えば、特許文献２参照）。
【先行技術文献】
【特許文献】
【０００４】
【特許文献１】特開２００９−１８９１２９号公報
【特許文献２】特開２００３−２４０６６６号公報
【発明の概要】
【発明が解決しようとする課題】
【０００５】
しかしながら、上記特許文献１に記載された従来例にあっては、３つの密閉容器を必要とし、これら３つの密閉容器を連結する場合に、気密性を保持する必要が生じるとともに、密閉容器間の電気的接続も充電部導体を貫通させるために気密性を保持するブッシングを設ける必要があって結合構造が複雑となるとともに、小型化の阻害要因にもなり、さらに密閉容器毎に気密性を監視する圧力センサや湿度センサ等の監視手段を設ける必要がありコストが嵩むという未解決の課題がある。また、通常３つの密閉容器を支えるためにフレームを設けるが、このフレームと密閉容器とは固定ねじなどで固定する必要があるが、ねじ穴は気密にする必要から留まりねじ穴、若しくはスタッドを立てる必要が生じる。
【０００６】
また、上記特許文献２に記載された従来例にあっては、温度センサ及び湿度センサの出力信号を用いて上記筐体内部及び筐体外部の絶対湿度に対応する量をそれぞれ求め、これら２つの絶対湿度に対応する量の比較結果に基づいて警報を発するようにしており、圧力センサのように密閉容器の内圧を検出する必要がないので、大気圧に近い密閉容器でも気密性を判断することが可能であるが、上記特許文献１に記載された従来例の未解決の課題を解決することはできない。
そこで、本発明は、上記従来例の未解決の課題に着目してなされたものであり、１つの密閉容器内に遮断器、断路器等の開閉機器を配置することにより、密閉容器の構造を簡易小型化するとともに、製作コストを低減することができる密閉形配電盤を提供することを目的としている。
【課題を解決するための手段】
【０００７】
上記目的を達成するために、本発明の一の形態に係る密閉形配電盤は、受配電設備に使用される密閉形配電盤であって、密閉容器内に少なくとも遮断器及び断路器を含む開閉機器が設置され、前記密閉容器内に当該密閉容器の開放時に充電部から保護する保護板が配設され、該保護板は、前記遮断器を設置した設置空間と前記断路器を設置した設置空間との境界位置に配設され、接続導体を挿通する挿通孔が形成されていることを特徴としている。
この構成によると、密閉容器内に充電部から保護する保護板を配設したので、前述した従来例のように複数の密閉容器で開閉機器を区画化する必要がなく、１つの密閉容器で開閉機器を配置することができ、密閉容器の簡易小型化を図りながら製作コストを低減することができる。
【０００８】
また、本発明の他の形態に係る密閉形配電盤は、前記密閉容器は、中段の配置空間に前記断路器及び母線が配置され、中段の配置空間を挟む上段の配置空間及び下段の配置空間にそれぞれ遮断器が配置され、前記中段の配置空間と前記上段の配置空間及び前記下段の配置空間との間に個別に前記保護板が配置されていることを特徴としている。
この構成によると、密閉容器を開放して点検を行う際に、充電部を保護板で確実に保護しながら少なくとも挿通孔を通じて隣接する設置空間を連通することができる。
【０００９】
また、本発明の一の形態に係る密閉形配電盤は、前記密閉容器は、四隅の１箇所以上のコーナー部にＵ字形状及びＶ字形状の少なくとも一方でなる補強凹部を形成したことを特徴としている。
この構成によると密閉容器の四隅の１箇所以上のコーナー部にＵ字形状及びレ形状の少なくとも一方でなる補強凹部を形成したので、密閉容器を機械的強度が低い薄板で構成した場合でも密閉容器全体の強度を向上させることができる。
【００１０】
また、本発明の他の形態に係る密閉形配電盤は、記密閉容器内に、湿度及び露点の少なくとも一方を検出する密閉状態検出手段を配設し、該密閉状態検出手段で検出した検出値が予め設定した閾値以上であるときに密閉異常であると判断する密閉異常判定手段を備えたことを特徴としている。
この構成によると、密閉容器の気密性を湿度又は露点を検出し、その検出値が予め設定された閾値以上となったときに密閉異常と判断するので、密閉容器内が大気圧に近い場合でも、気密性を判断して密閉異常を判定することができる。
【発明の効果】
【００１１】
本発明によれば、密閉容器内に開閉機器の充電部を保護する保護板を配設したので、配電盤の点検時に密閉容器を開放したときに、保護板によって開閉機器の充電部間を保護することができ、開閉機器毎に密閉容器を設ける必要がなく、１つの密閉容器内に各種開閉機器を配置することができ、密閉容器を簡易小型化することができるとともに、気密性を検出する検出部も１つで済むことから製作コストを低減することができる。
【図面の簡単な説明】
【００１２】
【図１】本発明の一実施形態を示す縦断面図である。
【図２】図１のＡ−Ａ線上の断面図である。
【図３】図１のＢ−Ｂ線上の断面図である。
【図４】図１のＣ−Ｃ線上の断面図である。
【図５】図１のコーナー部を拡大して示す平面図である。
【図６】密閉状態監視装置を示すブロック図である。
【図７】本発明の他の実施形態を示す平面図である。
【発明を実施するための形態】
【００１３】
以下、本発明の実施の形態を図面に基づいて説明する。
図１は本発明の一実施形態を示す密閉形配電盤を示す縦断面図、図２は図１のＡ−Ａ線上の断面図、図３は図１のＢ−Ｂ線上の断面図である。
図中、１は密閉形配電盤であって、前面板部３Ｆの中段及び下段に開閉可能で且つ閉状態で気密性を有する点検用開閉蓋２ａ,２ｂを有し、上面板部３Ｕにも同様の点検用開閉蓋２ｃを有する直方体状の密閉容器３を備えている。ここで、点検用開閉蓋２ａ〜２ｃのそれぞれは、図５に示すように、前面板部３Ｆ及び上面板部３Ｕにパッキン４を介在させてボルト締めされることにより、気密性を確保して固定されている。
【００１４】
この密閉容器３は、上部側に点検用開閉蓋２ｃに対向して開閉機器としての上側の遮断器５を配置する配置空間６が形成され、この配置空間６の下側に点検用開閉蓋２ａに対向して開閉機器としての断路器７を配置する配置空間８が形成され、さらに配置空間８の下側に点検用開閉蓋２ｂに対向して開閉機器としての下側の遮断器９を配置する配置空間１０が形成されている。
また、密閉容器３の配置空間６に対応する背面に上側のＲ相、Ｓ相及びＴ相の三相ケーブルの先端に設けられたＴ字形のケーブルヘッド１１を接続するケーブル接続部１２が形成されているとともに、配置空間１０に対応する背面に下側のＲ相、Ｓ相及びＴ相の三相ケーブルの先端に設けられたＴ字形のケーブルヘッド１３を接続するケーブル接続部１４が形成されている。
【００１５】
そして、ケーブル接続部１２の密閉容器３内の先端部が接続導体１５ａ〜１５ｃを介して遮断器５の一方の接続部に接続され、遮断器５の他方の接続部が接続導体１６ａ〜１６ｃを介して断路器７の一方に接続されている。また、断路器７の他方が接続導体１７ａ〜１７ｃを介して遮断器９の一方の接続部に接続され、遮断器９の他方の接続部が接続導体１８ａ〜１８ｃを介してケーブル接続部１４の密閉容器３内の先端部に接続されている。
【００１６】
また、密閉容器３内には配置空間８の断路器７と対向する位置に図１及び図４に示すようにＲ相、Ｓ相及びＴ相の母線１９ａ〜１９ｃが配設されている。
そして、密閉容器３内の配置空間６及び８との境界部に、充電された母線１９ａに対して保護機能を発揮する保護板２１が図２に示すように密閉容器３の左右側板部３Ｌ，３Ｒの内面側間水平状態で橋架されてボルト締めされている。この保護板２１には、図３に示すように、前後方向の中央部に遮断器５及び断路器７間を電気的に接続する接続導体１６ａ〜１６ｃを挿通する挿通孔２１ａ〜２１ｃが形成されている。ここで、保護板２１は、保護対象に対して規定された隙間以下になるように設けられており、材質は絶縁物製、導電金属製のいずれでもよい。
【００１７】
また、密閉容器３内の配置空間８及び１０との境界部にも断路器７の負荷側充電部導体と、充電された母線１９ｃを保護する保護板２２が図２に示すように密閉容器３の左右側板３Ｌ，３Ｒの内面側間に水平方向に橋架されてボルト締めされている。この保護板２２にも、図３に示すように、断路器７と遮断器９との間を電気的に接続する接続導体１７ａ〜１７ｃを挿通する挿通孔２２ａ〜２２ｃが形成されている。ここで、保護板２２は、保護対象に対して規定されたすき間以下になるように設けられており、材質は絶縁物製、導電金属製のいずれでもよい。
【００１８】
また、密閉容器３は、図４及び図５に示すように、平面から見た四隅の４つのコーナー部３１ａ〜３１ｄに、補強凹部３２ａ〜３２ｄが形成されている。ここで、補強凹部３２ａは、図５で拡大図示するように、前面板部３Ｆの左側板部３Ｌとの接合部がそれぞれ内側に折り曲げられて折曲部３３ａ及び３３ｂが形成されているとともに、折曲部３３ａに断面Ｌ字状の補強片３４がこの補強片３４と折曲部３３ｂとで逆Ｕ字形状の凹部を形成するようにスポット溶接等の固定手段で固定されている。
【００１９】
さらに、補強凹部３２ａと対角線上にある補強凹部３２ｄについても、背面板部３Ｂと右側板部３Ｒとの接合部がそれぞれ内側に折り曲げられて折曲部３５ａ及び３５ｂが形成されているとともに、折曲部３５ａに断面Ｌ字状の補強片３６がこの補強片３６と折曲部３５ｂとでＵ字形状の凹部を形成するようにスポット溶接等の固定手段で固定されている。
【００２０】
また、補強凹部３２ｂは、図５で拡大図示するように、前面板部３Ｆと右側板部３Ｒとの接続部で右側板部３Ｒを内側に直角に曲げて折曲部３７ａを形成するとともに、この折曲部３７ａから外側に直角に折り曲げて前面板部３Ｆを右側板部３Ｒの外面まで延長させた延長部３８に達する折曲部３７ｂを形成し、折曲部３７ｂの先端を延長部３８に溶接することにより、折曲部３７ａ、３７ｂ及び延長部３８でＵ字形状の凹部を形成している。
【００２１】
同様に、補強凹部３２ｂと対角線上の補強凹部３２ｃは、図５で拡大図示するように、背面板部３Ｂと左側板部３Ｌとの接続部で左側板部３Ｌを内側に直角に曲げて折曲部３９ａを形成するとともに、この折曲部３９ａから外側に直角に折り曲げて背面板部３Ｂを左側板部３Ｌの外面まで延長させた延長部４０に達する折曲部３９ｂを形成し、折曲部３９ｂの先端を延長部４０に溶接することにより、折曲部３９ａ、３９ｂ及び延長部４０で逆Ｕ字形状の凹部を形成している。
【００２２】
また、密閉容器３内には外気圧と同じか又は外気圧より少し高い圧力で密閉され、内部はシリカゲルなどの水分を吸着する乾燥剤をケースに充填して配置することにより大気より低い湿度となるように保持されている。
そして、密閉容器３内に、図６に示すように、湿度センサ４１が配設され、この湿度センサ４１が配線４２を介して密閉容器３外に配置された密閉異常監視装置４３に接続されている。この密閉異常監視装置４３では、湿度センサ４１で検出した湿度検出値Ｈｄと予め設定した閾値Ｈｔｈとを比較し、湿度検出値Ｈｄが閾値Ｈｔｈ未満であるときには正常と判断し、湿度検出値Ｈｄが閾値Ｈｔｈ以上となると密閉状態が崩れたものと判断して警報装置４４に警報信号ＳＡを出力する。
【００２３】
このように、上記実施形態によると、密閉容器３内に保護板２１及び２２が充電された母線１９ａ〜１９ｃを保護するために配置されているので、前述した従来例に示されているように、開閉機器の充電部が露出されることを確実に阻止する３つ密閉容器を設けることなく、１つの密閉容器３内に上側の遮断器５、断路器７及び下側の遮断器９を配置するようにしても、開閉機器の充電部を保護板２１，２２で保護することができ、点検用開閉蓋２ａ〜２ｃを開放して点検作業時に、開閉機器の充電部を保護することができる。
【００２４】
このように、１つの密閉容器３内に上側の遮断器５、断路器７及び下側の遮断器９を配置するので、前述した従来例のように、３つの密閉容器を設ける必要がなく、密閉状態を監視する密閉状態監視装置も１つで済むことから密閉容器３を簡易小型化することができるとともに、製作コストを削減することができる。
また、密閉容器３の四隅のコーナー部に補強凹部３２ａ〜３２ｄを形成するようにしたので、補強凹部３２ａ及び３２ｄを形成する折曲部３３ａ，３３ｂ及び３５ａ，３５ｂとＬ字状の補強片３４，３６とを設けたり、補強凹部３２ｂ及び３２ｃを形成する折曲部３７ａ，３７ｂ及び３９ａ，３９ｂと延長部３８及び４０とを溶接したりして、各コーナー部３１ａ〜３１ｄでの剛性を高めることができる。
【００２５】
また、補強凹部３２ａ〜３２ｄに密閉容器３の密閉部とは直接かかわりの無いＬ字状の補強片３４，３６や延長部３８，４０を設けているので、これらＬ字状の補強片３４，３６や延長部３８，４０にフレーム固定ボルト孔を形成することができ、このフレーム固定ねじ穴を気密部の外側に形成することができるので、気密性を確保する必要がないとともに、留まりねじにするために厚板にしたり、スタッドボルトを溶接したりする必要がなく、薄板化を図ることができる。
【００２６】
また、密閉容器３内に、乾燥した空気を密封して絶縁性を高めることができるので、密閉容器内を大気圧と同じから大気圧より少し高い圧力に保持するだけで、絶縁性能を確保することができ、密閉容器３の板厚を薄くすることができ、この点でも製作コストを低減することができる。
さらに、密閉容器３内に乾燥した空気を密封することにより、湿度センサ４１によって、湿度を検出し、その湿度検出値Ｈｄと予め設定された湿度閾値Ｈｔｈとを比較することにより、気密性が保持されているか否かを判定することができ、Ｈｄが湿度閾値Ｈｔｈ以上となったときに、気密性が低下したものと判断することができる。
【００２７】
なお、上記実施形態においては、密閉状態を監視する際に、湿度センサ４１で密閉容器３内の湿度を検出する場合について説明したが、これに限定されるものではなく、密閉容器３内に湿度センサ４１に代えて露点センサを設け、この露点センサで検出した露点が予め設定された露点閾値以上であるか否かを監視することにより、密閉状態を判定するようにしてもよい。
【００２８】
また、上記実施形態においては、密閉容器３内に湿度センサ４１を配設した場合について説明したが、これに限定されるものではなく、密閉容器３に連通する配管を設け、この配管の他端に湿度測定室を形成し、この湿度測定室内に湿度センサ４１を配置するようにしてもよい。
さらに、上記実施形態においては、密閉容器３の四隅のコーナー部に形成した補強凹部３２ａ〜３２ｄをＵ字形状に形成した場合について説明したが、これに限定されるものではなく、図７に示すように、Ｌ字状の折曲部３３ａ，３３ｂ、３５ａ，３５ｂ、３７ａ，３７ｂ及び３９ａ，３９ｂに代えて、斜めの折曲部５０を形成し、Ｖ字形状の補強凹部５１ａ〜５１ｄを形成するようにしてもよい。
【００２９】
また、上記実施形態においては、密閉容器３の各コーナー部３１ａ〜３１ｄのそれぞれに補強凹部３２ａ〜３２ｄを設ける場合について説明したが、これに限定されるものではなく、１箇所以上のコーナー部に補強凹部を設けるようにしてもよく、さらには、各コーナー部３１ａ〜３１ｄの中間部に補強凹部を形成するようにしてもよい。なお、図５，図７のように四隅の１箇所以上のコーナー部に補強凹部を形成して剛性を高めた密閉容器３は、密閉容器３内に遮断器又は断路器のみを１以上設置する場合でも実現可能である。
【符号の説明】
【００３０】
１…密閉形配電盤、２ａ〜２ｃ…点検用開閉蓋、３…密閉容器、３Ｆ…前面板部、３Ｒ…背面板部、３Ｌ…左側板部、３Ｒ…右側板部、５…上側遮断器、６…配置空間、７…断路器、８…配置空間、９…下側遮断器、１０…配置空間、２１，２２…保護板、３１ａ〜３１ｄ…コーナー部、３２ａ〜３２ｄ…補強凹部、３３ａ，３３ｂ…折曲部、３４…補強片、３５ａ，３５ｂ…折曲部、３６…補強片、３７ａ，３７ｂ…折曲部、３８…延長部、３９ａ，３９ｂ…折曲部、４０…延長部、４１…湿度センサ、４２…配線、４３…密閉状態監視装置、４４…警報装置、５０…折曲部、５１ａ〜５１ｄ…補強凹部
【図１】
0005504991.tif 000002
【図２】
0005504991.tif 000003
【図３】
0005504991.tif 000004
【図４】
0005504991.tif 000005
【図５】
0005504991.tif 000006
【図６】
0005504991.tif 000007
【図７】
0005504991.tif 000008